(57)【特許請求の範囲】
【請求項１】
ソファ本体の座面シートの架台には、下端にキャスターが設けられ、内部に収納部が設けられ、該収納部に前記ソファ本体の側方に引出し収納自在に設けられる可動部は、クッション支持台と該クッション支持台前端に設けられる側板とから成り、引出し時では、前記側板の下端が床面に接地して前記クッション支持台を水平に保持し、該クッション支持台上面にはクッションが配置され、前記座面シートと共にベッドの形態となり、収納時では、ソファの形態となるスリーパーソファにおいて、
前記クッション支持台の下面には摺動部材が設けられ、前記収納部の底部内面には前端を斜面とした乗り上げ部材が設けられ、前記収納部の天井部内面の後部には前端を斜面とした押し下げ部材が設けられ、前記クッション支持台は前記収納部に押し込まれることにより、前記摺動部材が前記乗り上げ部材の上を摺動し、次いで前記押し下げ部材により前記クッション支持台の後端部が押し下げられて前記乗り上げ部材と前記押し下げ部材の間に挟まれ、前記側板の下端が床面から浮き上がって前記可動部が収納されることを特徴とするスリーパーソファ。
【請求項２】
前記収納された可動部の側板は前記架台に対して上下に揺動動可能であり、磁石固定具ペアの一方が収納部収納口近傍の前記架台の外側面に他方が対応する位置の前記側板の内面に、ペア結合面が前記外側面及び前記内面と平行となるように設けられており、前記可動部の収納時に相互の前記ペア結合面が結合し前記可動部の側板と前記架台が固定され、引出し時に前記側板が上下方向に揺動されることにより、それぞれの前記ペア結合面が摺動してずれ、前記磁石固定具ペアの結合が外れ、前記側板の固定が解除されることを特徴とする請求項１に記載のスリーパーソファ。
【請求項３】
前記可動部が前記ソファ本体の両側方に引出し収納自在に設けられていることを特徴とする請求項１又は２に記載のスリーパーソファ。
【請求項４】
前記キャスターがロック付キャスターであることを特徴とする請求項１〜３のいずれか一項に記載のスリーパーソファ。
【発明の詳細な説明】
【技術分野】
【０００１】
本発明は移動容易なスリーパーソファに関し、特にキャスターが取付けられたスリーパーソファに関する。
【背景技術】
【０００２】
ベッドに転換可能なソファであるスリーパーソファはソファベッドとも称され、すでに色々なタイプのものが商品化されて、病院、職場や家庭で使用されている。このスリーパーソファは、背もたれを倒して座面シートの面積を増加させてベッドに転換するタイプもあるが、背もたれを倒すだけでは広げる大きさに限界があり、ソファの座面を追加したり引き延ばしたりして広げるタイプのものも使用されている。例えば、特許文献1には、ソファのシート面を３部分に分割し、丁番などで連結し、それぞれ座面シート、背もたれシート、背もたれ背面シートとし、各シートを折り畳むことでソファとし、座面シートを引き出し、各シートを連続した平面に引伸ばすことでベッドとすることのできるソファが提案されている。
【０００３】
そして、特許文献２には、ソファ本体である中央部形成体に、左右方向に移動可能な左・右側部形成体を設置して、この左・右側部形成体を内方に移動させて中央側部形成体の内部に収納したり、外方に向けて移動させ、伸展状態としたりすることで、三人掛け用から二人掛け用にまたは逆に二人掛け用から三人掛け用に任意に転換したり、ソファとベッドとを相互に転換できるスリーパーソファが提案されている。さらに、特許文献３には、固定クッションが上部に設けられた中空状の外ケースと、このケースの中空部に対して相対的に出し入れ自在な内ケースとを具備してなり、内ケースは引き出し位置でその上部に可動クッションを配置することでベッドとして利用でき、挿入位置では可動クッションを撤去することで、ソファとして利用できるソファベッド（スリーパーソファ）が提案されている。
【０００４】
上記のように、ソファ本体から左右の両側に引き出したり、一方に引き出したりして、ソファ本体の座面シートの面積を広げてベッドに転換するスリーパーソファ（ソファベッド）は、家庭におけるリビングに配置したり、病院等で病人用ベッドの傍らに設置して用いられているが病室等においては広さに制限がありソファからベッドに転換するには、引き出す空間を確保するために設置場所を移動させることが多く、またベッドからソファに転換した後でも、移動させることが多く、移動が容易にできるスリーパーソファが望まれている。
【０００５】
そのため、特許文献３に記載のスリーパーソファでは、ソファ本体である外ケースの支持部（第１の支持部材）は床上を移動せず、引き出されてベッド面を形成する外ケースの支持部（第２の支持部材）は床上を移動し得るように構成されており（本文献請求項１など参照）、第１の支持部材はアジャスターが、第２の支持部材はキャスターが示されている（本文献請求項１０、１１など参照）。そして、内ケースが外ケースに収納され、ソファとなっている場合に、外ケース及び内ケースを共に傾斜させて、キャスターである第２の支持部材のみで支持させるようにして、スリーパーソファ全体を移動させている（本文献段落００３７、図８など参照）。
【０００６】
しかしながら、特許文献３に記載のスリーパーソファでは、キャスターを利用して移動できるものの、ソファ全体の一方を持ち上げ傾斜させる必要があり、力を要し、一人で素早く、簡単かつ安全に移動させて設置できるものではない。
【先行技術文献】
【特許文献】
【０００７】
【特許文献１】特許第４６９９５４９号公報
【特許文献２】特開平１１−２０６５１４号公報
【特許文献３】特開２００１−８７０８１号公報
【発明の概要】
【発明が解決しようとする課題】
【０００８】
本願発明の課題は、ベッドに転換可能なソファであるスリーパーソファを、ソファの形態時に、力を要することなく一人で素早く、簡単かつ安全に、移動して配置することのできるスリーパーソファを提供することである。
【課題を解決するための手段】
【０００９】
本発明のスリーパーソファはソファ本体の座面シートの架台には、下端にキャスターが設けられ、内部には収納部が設けられ、該収納部にソファ本体の側方に引出し収納自在に設けられる可動部は、クッション支持台と該支持台前端に設けられる側板とから成り、引出し時では、側板の下端が床面に接地してクッション支持台を水平に保持し、クッション支持台上面にはクッションが配置され、前記座面シートと共にベッドの形態となり、収納時では、ソファの形態となるスリーパーソファにおいて、
クッション支持台の下面には摺動部材が設けられ、収納部の内底面には前端を斜面とした乗り上げ部材が設けられ、収納部の天井部内面の後部には前端を斜面とした押し下げ部材が設けられ、クッション支持台は収納部に押し込まれることにより、摺動部材が乗り上げ部材の上を摺動し、次いで押し下げ部材によりクッション支持台の後端部が押し下げられて乗り上げ部材と押し下げ部材の間に挟まれ、前記側板の下端が床面から浮き上がって可動部が収納されることを特徴とする。
【００１０】
そして、前記可動部を収納部に対して引出し収納自在とするためには、クッション支持台は押し下げ部材と乗り上げ部材にて緊密に挟み込まれるのではなく、収納時には側板は上下に揺動が可能な程度に挟まれており、多少のがたつきがあることが、スムーズな引出し収納作業には好ましい。このように、収納された可動部の先端に設けられる側板は架台に対して上下に揺動可能であり、磁石固定具ペアの一方が収納部収納口近傍の架台の外側面に他方が対応する位置の側板の内面に、ペア結合面が外側面及び内面と平行となるように設けられており、可動部の収納時に相互のペア結合面が結合し拡張部の側板と架台が固定され、引出し時に側板が上下方向に揺動されることにより、それぞれのペア結合面が摺動してずれ、磁石固定具ペアの結合が外れ、側板の固定が解除されることが好ましい。
【００１１】
上記の磁石固定具ペアとは、固定する部材の対応する場所にそれぞれ設けた二つのペア部材のペア結合面を磁力により結合するものであり、一方を磁石とし他方を鉄片として組み合わせることが多いが、磁石のＮ極とＳ極とを組み合わせてもよい。そして、磁石固定具ペアは、ペア結合面を固定対象のそれぞれの部材の固定する面と平行となるように設けられる。このような磁石固定具ペアは、双方のペア結合面を近づけると相互に引き合って簡単に結合し、対象部材を固定する。そして、ペア結合面と直交する方向に引き離して、固定を解除するには強い力を要するが、結合面と平行方向に摺動してずらして結合を外すには大きな力は要しない。そのため、上記したように、磁石固定具ペアの一方を架台の収納口近傍の外側面に他方を対応する位置の側板の内面に設けることにより、拡張部の収納時に側板と架台枠が固定され、拡張部の引出し時には側板を上下方向に揺動することにより、ペアの結合面が摺動してずれ、結合が外れ側板と架台枠との固定を解除することができる。
【００１２】
さらに、前記可動部がソファ本体の一方の側方だけでなく両側方に引出し収納自在に設けられていることが好ましく、前記キャスターがロック付キャスターであることも好ましい。
【００１３】
前記の摺動部材とは、少なくともその摺動面は摩擦係数が小さくかつ耐摩耗性に優れた合成樹脂からなる細長板状の部材であって、乗り上げ部材の上面で摺動可能であり、細長板状の部材全体をこのような摩擦摩耗特性に優れた合成樹脂で作成するか、金属などの支持体材料と組合せて、摺動面である下面のみが樹脂面となるように作成してもよい。
【発明の効果】
【００１４】
本発明のスリーパーソファは、ベッドとして機能させるための可動部を座面シートの架台枠内部の収納部に収納した場合、可動部の側板の下端部が床面より浮き上がる構造であり、可動部を収納しソファの形態とした時に、キャスターによるソファの移動が妨げられないために、力を要することなく一人で素早く、簡単かつ安全に、移動して配置することができる。
【００１５】
さらに、磁石固定具ペアを用いてソファ本体の架台と可動部の側板の固定を行う場合には、拡張部の収納部への収納時に、前記したようにペア結合面が相互に引き合って簡単に結合でき、しっかりと固定される、そのため、拡張部を収納してソファの形態でキャスターによる移動に際して、可動部が飛び出すこともなく、安全に移動することができる。そして、移動設置後は、側板を上下方向に微動させるだけで、力を要することなく簡単に結合を外し、固定を解除し、可動部を引出してベッドとすることができる。
【００１６】
また、可動部をソファの両側方に引出すタイプとすることにより、ベッドへの転換スペースの選択幅が増え、ソファの設置場所の自由度が増すことができる。
【００１７】
そして、前記キャスターをロック付とすることにより、ソファの形態であるか、ベッドの形態であるかを問わず、移動完了後、キャスターをロックすることにより安定して設置することができる。
【図面の簡単な説明】
【００１８】
【図１】ソファ本体より可動部を引出したり収納したりするスリーパーソファの作動操作説明図。
【図２】収納部内の乗り上げ部材、押し下げ部材等の配置の平面説明図。
【図３】収納部内の乗り上げ部材、押し下げ部材等の配置の側面説明図
【図４】ベッドの形態となっているスリーパーソファの外観斜視図。
【発明を実施するための形態】
【００１９】
以下本発明の実施の形態につき図面を参照して詳細に説明する。
【００２０】
図１はスリーパーソファをソファ形態の（ａ）から、ベッド形態の（ｃ）へ転換するため、ソファ本体１０から可動部２０を引出したり、逆にベッドの形態からソファの形態へ転換するため、可動部２０をソファ本体に収納したりする操作の説明図であり、（ｂ）は可動部２０の引出し操作又は収納操作の中間操作段階を示している。
【００２１】
（ａ）は、スリーパーソファがソファ形態となっている状態の正面説明図であって、ソファ本体１０は座面シート１１とこのシートを支える架台１２、背もたれクッション１５が立て掛けられている背もたれシート１４（（ｃ）を参照）、肘内クッション１７が立て掛けられる肘掛シート１６などから構成され、架台１２にはその下端にキャスター１３が設けられ、架台内部には収納部３０が設けられており、この収納部３０には可動部２０が収納されている。可動部２０は、クッション支持台２１と該支持台前端に設けられる側板２２とから成り、クッション支持台２１は収納口３６を通して、収納部３０の底部内面３１に設けられた乗り上げ部材３２と天井部内面３３に設けられた押し下げ部材３４とに挟み込まれて収納され、側板２２はシート１１及び架台１２の側面１８に密着配置され、磁石固定具ペア４０により固定されている。この収納状態では、クッション支持台２１により側板２２が持ち上げられて、その下端２３は床面ＦＬから浮き上がっている。そのため、キャスター１３によるソファの移動が妨げられることがない。
【００２２】
（ｃ）は、可動部２０が引出されてベッド形態となっている正面説明図あって、収納部３０から収納口３６を経由してクッション支持台２１を引出し、側板２２の下端２３を床面ＦＬに接地させてクッション支持台２１を水平に保持している、そして、クッション支持台２１の上面には、背もたれシート１４に立て掛けられていた背もたれクッション１５が配置され、座面シート１１と共にベッド面を形成している。この場合には、肘内クッション１７は枕として使用される。
【００２３】
また、架台１２に取り付けられるキャスター１３はロック付であることが好ましく、前記のようにソファ形態でも移動後にはロックペダル１９を作動させて移動後の場所に固定したり、（ｂ）に示すベッドへの転換操作時にもキャスターをロックして、安全に操作ができるようにしたりすることが好ましい。そして（ｃ）に示すベッドとして使用する場合にも同様にロックを働かせて固定することが好ましい。
【００２４】
（ｂ）は、（ａ）に示すソファ形態から、可動部２０を引出して、（ｃ）のベッド形態に変換したり、逆に（ｃ）に示すベッド形態から、可動部２０を収納して、（ａ）のソファ形態としたりする操作の中間操作段階を示している。引出し操作は、まず（ａ）における磁石固定具ペア４０による架台１２と側板２２の固定を解除するために、側板２２を上下方向に揺動させて、磁石固定具ペア４０の相互の結合面をずらして結合を外して、固定を解除し、側板２２の上端２７を掴んで、収納部３０の内部において乗り上げ部材３２と押し下げ部材３４とに挟み込まれて収納されているクッション支持台２１を引き出すことで、可動部２０が引出され（ｂ）に示される形状となる。また、側板２２の上端は図に示されるように鉤状とし掴み易くしてある。
【００２５】
上記の引出し操作においては、側板２２が上下方向に揺動可能とするために、乗り上げ部材３２と押し下げ部材３４によるクッション支持台２１の挟み込みが緩くなっていることが望ましく、挟み込みが緩ければ、クッション支持台２１の引出しは容易であり、さらに下面に摺動材２５が設けられているため、乗り上げ部材３２の上面を摺動し易くなっており、大きな力を要することなく、可動部２０は引き出すことができる。
【００２６】
逆に（ｃ）に示すベッド形態から、可動部２０を収納して、（ａ）のソファ形態とする操作では、クッション支持台２１から背もたれクッション１５を取り外し、側板２２の上端を掴み、クッション支持台２１を収納部３０の内部に押し込み、クッション支持台２１の先端部２６が乗り上げ部材３２の前端に乗り上げた操作段階が（ｂ）に示された状態である。乗り上げ部材３２の前端は斜面となっており、先端部２６は容易に乗り上げ部材３２に乗り上げることができる。
【００２７】
クッション支持台２１の下面には摺動部材２５が設けられており、この部材の摺動性を利用して、さらに押し込むことにより、天井部内面３３の後部に設けられた押し下げ材３４により、先端部２６は押し下げられ、クッション支持台２１は押し下げ材３４と乗り上げ材３２とに挟み込まれて（ａ）に示されるように収納される。（ｂ）（ｃ）に示すように収納口３６近傍の架台１２の外側面１８と側板２２の内面２４の対応する位置にそれぞれ磁石固定具ペア４０が設けられており、側板２２の内面２４を該側面１８に近づけけることにより、それぞれの磁石固定具ペア４０は相互に引き合って結合し、架台１２と側板２２を固定し、（ａ）に示すソファ形態となる。この磁石固定具ペア４０は前記したように磁石と鉄片の組み合わせでも磁石同士の組み合わせでもよい。
【００２８】
また、図１に示すように、収納部３０への可動部２０の収納は、クッション支持台２１が乗り上げ部材３２と押し下げ部材３４とに挟み込まれることで行われるが、前記したように、収納作業に力を要せず、かつ側板２２の上下方向への揺動を可能とするために、これらの両部材による挟み込みは緩くなっている。そのため、可動部２０のクッション支持台２１は収納部１２の内部でがたつきを生じている。このがたつきは、可動部２０の引き出し収納作業、すなわちクッション支持台２１引き出し収納作業を小さな力で行うことができるが、あまりこのがたつきが大きいと、作業に支障をきたすためこのがたつきの大きさを制限するために、図１の例では、収納部天井の前部には、がたつき防止部材３５が設けられており、側板２０の上下の揺動できる範囲すなわちがたつきの大きさを制限している。
【００２９】
図２、３は収納部３０に設けられた乗り上げ部材３２、押し下げ部材３４、がたつき防止部材３５のそれぞれの配置の平面及び側面説明図である。図２には収納部３０の底部内面３１の両側部の２か所に乗り上げ部材３２が設けられていることが示されている。本図の例では、収納部３０の底部内面３１は両側部に設けられている底部木枠の上面（内面）が相当し、この底部内面３１に乗り上げ部材３２が設けられている。この乗り上げ部材３２の前端は斜面となっており、図１（ｂ）で示したように、クッション支持台２１の収納時には、その下面に設けられる摺動部材２５が乗り上げ部材３２に乗り上げその上を摺動し、収納される。引き出し時には、逆に摺動部材２５を摺動させて、クッション支持台２１が引き出される。この場合、摺動部材２５は、乗り上げ部材３２に対応して、クッション支持台２５の下面の両側部に設けられる。
【００３０】
また、図３に示されるように、収納部の後部の天井部内面３３に設けられる押し下げ材３４は、第２図に示した乗り上げ部材３２の中央に相当する場所に設けられる。そして、押し下げ部材３４の先端も斜面となっており、図１（ａ）に示すように、収納されてくるクッション支持台２１の後端部２６を押し下げて、乗り上げ部材３２と共にクッション支持台２１を挟み込んで収納する。
【００３１】
乗り上げ部材３２と押し下げ部材３４の配置は、図２、３に示す配置に限定されるものではなく、両部材とも両側部に配置したり、乗り上げ部材３２中央に、押し下げ部材３４を両側部に配置したりすることもでき、両部材の配置は押し込まれて収納されるクッション支持台２１を両部材で挟み込むことができれば、特に限定されない。しかし、クッション支持台２１の引き出し収納作業時における、移動の安定性や両部材による挟み込みの安定性などから図２、３に示す配置が好ましい。
【００３２】
図４は図１（ｃ）に示すベッドの形態となっているスリーパーソファの外観斜視図であり、引き出された可動部２０のクッション支持台２１の上面に背もたれクッション１５が配置され、座面シート１１と共にベッド面を構成している。そして、肘内クッション１７は枕として使用される。また、このように可動部２０が引き出された状態において、背もたれクッション１５を配置せずに、クッション支持台２１を脇テーブルとして使用することもできる。また、この形態において、ベッドとして使用するだけでなく、二人掛けのソファを３〜４人掛けのソファと使用することもできる。
【００３３】
図１、４に示したスリーパーソファでは、ソファ本体１０には背もたれシート１４が設けられている態様を示したが背もたれシート１４が設けられていない形態でもよく、可動部２０を引き出して、ベッドの形状としたり、多人数掛けの椅子としたりして好ましく使用することができる。
【００３４】
本発明の摺動部材に用いられる摩擦係数が小さくかつ耐摩耗性に優れた合成樹脂としては、ポリアセタール（ポリオキシメチレン）、ナイロン６６、ナイロン１２、ナイロン４６などのポリアミド、ポリテトラフルオロエチレンなどのフッ素樹脂、ポリプロピレン、分子量百万を超える超高分子量ポリエチレンなどが好ましく用いられる。特にポリアセタールが加工特性や摺動特性の面から好ましく、さらに摺動特性を向上するために潤滑オイルを配合したり、フッ素樹脂などを充填したりしてもよく、また、コポリマー、ホモポリマーのいずれのタイプのポリアセタールでも使用することができる。これらの合成樹脂は細長板状に成型しとしてもよく、テープ状として鋼板などの支持体に貼り合わせたり、支持体表面にコーティングしたりして摺動部材とすることができる。
【００３５】
以上の説明においては、いずれも可動部２０をソファ本体１０の一方の側方より引き出す態様について述べてきた。しかし、肘掛けシート１６を取り除いたソファ本体１０の両側方に収納部と可動部を設け、両側方に設けられたそれぞれの可動部と収納部を引き出したり、収納したりする態様についても、それぞれの可動部と収納部及びこれらに設けられた各部材の作用効果については、以上の説明がそのまま適用できるものである。
【産業上の利用可能性】
【００３６】
本発明のスリーパーソファは、ソファの形態の時には移動が簡単にできるので、室内空間の限られた病院の病室などでの付添者用、病院での待合室での応急用、病院などの宿直者用などに好適に用いることができ、さらに、一般家庭、工場やオフィスの休憩室などにも用いることができる。
【符号の説明】
【００３７】
１０  ソファ本体                        １１  座面シート
１２  架台                              １３  キャスター
１４  背もたれシート                    １５  背もたれクッション
１６  肘掛シート                        １７  肘内クッション
１８  架台の外側面                      １９  ロックペダル
２０  可動部                            ２１  クッション支持台
２２  側板                              ２３  側板の下端
２４  側板の内面                        ２５  摺動部材
２６  クッション支持台の後端部
３０  収納部                            ３１  底部内面
３２  乗り上げ部材                      ３３  天井部内面
３４  押し下げ部材                      ３５  がたつき防止部材
３６  収納口
４０  磁石固定具ペア
【要約】
【課題】  ベッドに転換可能なソファであるスリーパーソファを、ソファの形態時に、力を要することなく一人で素早く、簡単かつ安全に、移動して配置することのできるスリーパーソファの提供。
【解決手段】  ソファ本体１０の下端にキャスター１３が設けられ、ソファ本体１０から引出し収納自在に設けられる可動部２０を引き出すことによりベッドの形態となり、収納することによりソファの形態となるスリーパーソファにおいて、可動部２０はクッション支持台２１と側板２２とから構成され、可動部２０の収納時にクッション支持台２１が、収納部３０に設けられた押し下げ部材３４と乗り上げ部材３２との間に挟まれ、側板２２の下端２３が床面ＦＬから浮き上がってキャスター１３による移動を妨げないスリーパーソファ。
【選択図】  図１【図１】
0006684010.tif 000002
【図２】
0006684010.tif 000003
【図３】
0006684010.tif 000004
【図４】
0006684010.tif 000005